(57)【要約】【課題】 ハンドセットを載置するクレードルを電話機本体の左右いずれにも配置可能とする為に、クレードルと電話機本体をレバーで支持してクレードルの回転移動を円滑にすると共に、電話機本体とクレードルの構造設計上の制約を軽減する。【解決手段】 電話機本体３とクレードル４とをレバー１、２で連結する。電話機本体３には円形のレバー取付孔８１、８２、８４、８５及び取付孔間に連結孔８３、８６を設け、レバー１、２の円柱状の本体側取付部６、７、クレードル側取付部８、９の先端は、取付軸中心方向へ向かう圧力が加わると弾性によりたわみ、外径が収縮可能な構造とする。本体側取付部が取付孔に嵌合した状態から、反対側の取付孔方向に引く力を加えると、本体側取付部６、７の外径が収縮し、連結孔８３、８６の幅と等しくなると、連結孔の内壁に接触しつつ通過、回転が可能となり、反対側の取付孔に達すると弾性により元の形状に復旧可能な構造を持つ。【選択図】 図１
0003162038.tif 000002
【実用新案登録請求の範囲】
【請求項１】
ハンドセットを載置するクレードルと、前記クレードルに対応する電話機本体と、前記クレードルと前記電話機本体を連結する連結レバーと、から成るクレードル分離型電話機におけるクレードルの移動構造であって、
前記連結レバーは、前記電話機本体に回転自在に取付けられる本体側取付機構と、前記クレードルに回転自在に取付けられるクレードル側取付機構と、を有し、
前記電話機本体は、連結された前記クレードルと電話機本体の距離が異なる複数の取付孔と、前記複数の取付孔との間を前記クレードル側取付機構が移動する連結孔が形成された連結点移動機構を有することを特徴とする本体側取付部移動式レバーによる電話機のクレードル移動構造。
【考案の詳細な説明】
【技術分野】
【０００１】
本考案は、送受話器（以降、ハンドセットと呼ぶ）の載置台（以降、クレードルと呼ぶ）を電話機本体から分離したクレードル分離型電話機であって、クレードルと電話機本体をレバーで連結し、本体とレバーとの接合点と、クレードルとレバーとの接合点をそれぞれ回転の軸として、クレードルを電話機本体の左右いずれの側にも配置可能とする電話機に関するものである。
【背景技術】
【０００２】
右利き、左利きのいずれの使用者にも電話機操作がしやすいように、クレードルを電話機本体の左右いずれにも配置可能とし、さらに、クレードルの移動を容易にするために、電話機本体底部中央とクレードル底部中央とを１本のレバーで連結し、本体とレバーとの接合点、及びクレードルとレバーとの接合点を回転軸として、クレードルの回転移動により左右自在配置を可能とする構造がある（例えば、特許文献１参照）。
【先行技術文献】
【特許文献】
【０００３】
【特許文献１】特開２００６−１８６７２９号公報
【考案の概要】
【考案が解決しようとする課題】
【０００４】
しかしながら、特許文献１の構造では、レバーが固定長であるため、電話機本体とレバー、クレードル部とレバーとの接合部を回転軸としてクレードルを回転移動させる上で、電話機本体の各突起部をクレードルの回転半径内に収める必要があるために、電話機本体およびクレードルのデザインおよび構造がかなり制約されるという欠点があった。
そこで、本考案が解決しようとする課題は、従来の欠点を解決するために、クレードルを回転移動する際にレバーの回転軸の位置を変更して、クレードルの回転移動を円滑にすると共に、電話機本体とクレードルの構造デザイン上の制約を軽減することにある。
【課題を解決するための手段】
【０００５】
上記の課題を解決するために、本考案は、ハンドセットを載置するクレードルと、前記クレードルに対応する電話機本体と、前記クレードルと前記電話機本体を連結する連結レバーと、から成るクレードル分離型電話機におけるクレードルの移動構造であって、前記連結レバーは、前記電話機本体に回転自在に取付けられる本体側取付機構と、前記クレードルに回転自在に取付けられるクレードル側取付機構と、を有し、前記電話機本体は、連結された前記クレードルと電話機本体の距離が異なる複数の取付孔と、前記複数の取付孔との間を前記本体側取付機構が移動する連結孔が形成された連結点移動機構を有することを特徴とする。
【考案の効果】
【０００６】
本考案によれば、通常使用時にはクレードルと電話機本体間は接触配置しているが、電話機本体に対するクレードルの位置を左右反転する場合には、回転軸を移動させてクレードルと電話機本体間の隙間を確保し、クレードルの回転移動の円滑化が図れると共に、移動後は再度回転軸を移動させてクレードルを電話機本体と接触配置した状態に戻すことが可能となる効果がある。
しかも、回転移動に際し、電話機本体及びクレードルの構造デザイン上の制約条件が少なく、回転軸が移動する幅の範囲内で形状を自由に設計できると共に、電話機本体を机上等に据え置いたまま、電話機本体の上部を横切ってクレードルを回転移動させることができる。  
【図面の簡単な説明】
【０００７】
【図１】本考案に係る電話装置の分解図。
【図２】移動式レバーの構造を説明するための図。レバーの本体側取付部の構造を示す。同図（Ａ）は平面図、同図（Ｂ）は左側面図、同図（Ｃ）は右側面図である。
【図３】移動式レバーの本体側取付部の斜視図。
【図４】電話機本体に明けられた２つの取付孔を繋ぐ連結孔の構造を説明するための図。
【図５】電話機本体の取付孔に本体側取付部を嵌合後の状態を示す図。
【図６】クレードルを電話機本体左側に接触配置した図。クレードルの位置変更前の状態を示す。同図（Ａ）は平面図、同図（Ｂ）は正面図である。
【図７】クレードルの移動を説明するための図。レバーの本体側取付部を連結孔の中間に移動し、クレードルを電話機本体から引き離した状態を示す。
【図８】クレードルの移動を説明するための図。レバーの電話機本体側取付部を回転軸としてクレードルが回転移動する途中を示す。
【図９】クレードルの移動を説明するための図。クレードルが電話機本体右側へ１８０°回転移動した状態を示す。
【図１０】レバーの長さを縮め、クレードルを電話機本体右側に接触配置させた図。クレードル位置変更後の状態を示す。同図（Ａ）は平面図、同図（Ｂ）は正面図である。
【考案を実施するための形態】
【０００８】
図１は本考案の実施形態に係る電話機の分解図であって、１および２は、電話機本体３とクレードル４を連結する連結レバー（以降、単にレバーと呼ぶ）、５はクレードル４に載置されるハンドセット、６および７はレバー１および２を電話機本体３に回転自在に取り付けるための本体側取付部、８および９はレバー１および２をクレードル４に回転自在に取り付けるためのクレードル側取付部である。
電話機本体３にはレバー２の本体側取付部７を固定するための取付孔８１、８２及び連結孔８３と、レバー１の本体側取付部６を固定するための同一形状の取付孔８４、８５及び連結孔８６が形成されている。またクレードル４にもレバー２のクレードル側取付部９を固定するための取付孔４１と、レバー１のクレードル側取付部８を固定するための同一形状の取付孔４２が形成されている。
【０００９】
図２にレバー２の本体側取付部７の細部構造例を示す。図３はレバー２の本体側取付部７の斜視図である。本体側取付部７は円柱状の取付軸の先端に円錐台状のストッパ部を持つ。ストッパ部及びストッパ部に繋がる取付軸の一部は軸方向に複数のスリットが刻まれ、７１、７２、７３、７４に４分裂した構造である。本体側取付部先端に周囲から半径方向内向きの圧力が加わると、本体側取付部の材料の弾性により内側にたわみ、外径が縮小する。
レバー１及び本体側取付部６は、レバー２及び本体側取付部７と同一構造である。
【００１０】
図４は本体側取付部７が差し込まれる電話機本体３に明けられた取付孔８１、８２、及び両者を繋ぐ連結孔８３の構造を示す図である。連結孔の幅は取付孔の直径より小さい。本体側取付部７の円柱状の取付軸の外径は取付孔の内径より僅かに小さい。さらに本体側取付部７先端の円錐台状のストッパ部は上部底面の半径が取付孔８１、８２の半径より小さく、下部底面の半径は取付孔８１、８２の半径より大きい。その為、取付孔８１又は８２にストッパ部を押し込むと、取付孔と円錐台状のストッパ部の側面とが接触して側面が垂直に圧せられ、内側にたわむことによりストッパ部が取付孔を貫通し、本体側取付部を取付孔と嵌合させることが可能である。嵌合した状態を図５に示す。本体側取付部７は取付孔８１又は８２の内部に定置され、内部で回転することが可能である。
レバー２と対になるレバー１の取付孔８４、８５及び連結孔８６は、レバー２の取付孔８１、８２及び連結孔８３と同一構造である。
【００１１】
図６（Ａ）及び（Ｂ）はハンドセット５を載置したクレードル４を電話機本体３の左に接触配置した状態を示す。レバー１、２の本体側取付部６、７が電話機本体３の取付孔８１、８４に差し込まれ、電話機本体３とクレードル４とが接触配置した状態となるように、取付孔８１、８４が位置している。
レバー１、２と電話機本体３との本体側取付部６、７はレバー１、２の回転軸となる。また、レバー１、２とクレードル４とのクレードル側取付部８、９はクレードル４の回転軸となる。
【００１２】
図６の状態からクレードル４、ハンドセット５を電話機本体３の右側に移動させて使用する場合、クレードル４及びハンドセット５を電話機本体３から引き離す。即ち、レバー１、２の本体側取付部６、７を、取付孔８１、８４から、連結孔８３、８６の方向に力を加えることにより、本体側取付部６、７の取付軸が連結孔８３、８６の入り口で圧せられ、取付軸が内側にたわむことにより連結孔８３、８６の内寸に等しくなるまで収縮し、連結孔８３、８６を通って取付孔８１、８４の反対側の取付孔８２、８５方向へ移動する。例として本体側取付部６、７を、取付孔８１、８４と８２、８５とをそれぞれ繋ぐ連結孔８３、８６の中央付近まで移動した状態を図７に示す。
【００１３】
続いて、レバー１、２と電話機本体３との本体側取付部６、７を回転軸として、クレードル４、ハンドセット５を回転移動させる。レバー１、２は本体側取付部６、７の回りに３６０度回転可能であるが、電話機本体３を机上等の設置場所に固定したまま、クレードル４及びハンドセット５を、電話機本体３の上部を通過させる方が操作が簡単である。クレードル４はレバー１、２とのクレードル側取付部８、９を回転軸として、その回りに回転自在であるので、クレードル４及びハンドセット５を上に向けながら、電話機本体とレバー１、２との本体側取付部６、７を回転軸としてレバー１、２を回転させる。クレードル４及びハンドセット５は図８の状態を経て、１８０°回転し、電話機本体３の右側に移動する。この状態を図９に示す。
【００１４】
引き続いて、クレードル４を電話機本体３に向けて水平方向に押し付けるとレバー１、２の本体側取付部６、７が、取付孔８１、８４と取付孔８２、８５の中間点から、取付孔８２、８５の方向へ移動する。本体側取付部６、７を取付孔８２、８５まで移動させると、収縮していた本体側取付部６、７の取付軸が弾性により元の形に戻る。この状態を図１０（Ａ）及び（Ｂ）に示す。
レバー１、２の本体側取付部６、７が取付孔８２、８５に定置され、クレードル４及びハンドセット５を電話機本体３の右側に接触配置させて使用することが可能となる。
【００１５】
前記の操作を逆順に実施することにより、電話機本体右側に接触配置したクレードルを左側に移動することが可能である。したがって、電話機本体に対するクレードルの左右配置の変更を、自在に行うことが出来る。
【符号の説明】
【００１６】
１、２・・・電話機本体とクレードルとを連結するレバー
３・・・電話機本体
４・・・クレードル
５・・・ハンドセット
６、７・・・レバー１、２の本側体取付部
８、９・・・レバー１、２のクレードル側取付部
４１、４２・・・取付孔
７１、７２、７３、７４・・・レバー１（又はレバー２）の本体側取付部先端のストッパ部
８１、８２、８４、８５・・・レバー２、レバー１の本体側取付部と電話機本体を固定する取付孔
８３、８６・・・レバー２、レバー１の本体側取付部が取付孔間を移動する連結孔
【図１】
0003162038.tif 000003
【図２】
0003162038.tif 000004
【図３】
0003162038.tif 000005
【図４】
0003162038.tif 000006
【図５】
0003162038.tif 000007
【図６】
0003162038.tif 000008
【図７】
0003162038.tif 000009
【図８】
0003162038.tif 000010
【図９】
0003162038.tif 000011
【図１０】
0003162038.tif 000012